(57)【要約】【課題】  既製の配線器具を使用することなく、製品寸法に制約の少ない固定構造を得るとともに部品点数が少なく構造が簡素化した固定構造を得るものである。【解決手段】  箱体の側面に箱体を壁と挟んで固定する固定部品を備え、また側面に固定部品が貫通する大きさのスリットと、固定部品を可動可能に案内する可動開口部を設け、可動開口部の端部に固定部品をネジ締めするため貫通穴を備えたネジ固定面を設け、ネジ固定面の貫通穴より固定ネジを挿入し、固定部品のネジ穴とネジ締めすることにより、固定部品が箱体の可動開口部をフランジ部側に可動し壁に固定する通信制御装置。【選択図】図１０
2015204727.tif 000002
【特許請求の範囲】
【請求項１】
住宅内に設置した換気扇、給湯機器などの家庭用電気機器を中央制御する情報収集装置と前記情報収集装置と通信する通信機器と、
前記通信機器を搭載した箱体と、前記箱体は箱状の一面を開口し開口した側にフランジ部を備え、前記フランジ部で前記箱体を住宅の壁、天井などに設けた開口に固定する通信制御装置であって、
前記箱体の側面に備え前記開口した面と平行に形成したスリットと、
前記スリットの前記箱体内部から外側に向けて貫通し備えた固定部品と、
前記箱体の側面に前記固定部品を可動可能に案内する可動開口部を前記スリットと連続して形成し、
前記箱体の開口側の前記可動開口部の端部より突出して備えたネジ固定面と、
前記ネジ固定面に貫通穴を設け、前記貫通穴より挿入した固定ネジと、
前記固定部品に前記固定ネジと螺合するネジ穴を設け、
前記固定ネジのネジ締めに伴って前記固定部品が前記可動開口部を前記フランジ部側へ移動することを特徴とした通信制御装置。
【請求項２】
前記スリットを箱体の奥行方向に複数備えたことを特徴とする請求項１記載の通信制御装置。
【請求項３】
前記固定部品は前記箱体の側面側に折り曲げた複数の爪部を備えたことを特徴とする請求項１、２いずれか記載の通信制御装置。
【請求項４】
前記可動開口部を塞ぐ不燃シートと、前記不燃シートに設けたスリットと、前記スリットに前記固定部品を挿入し、前記固定部品の可動に連れて前記不燃シートも可動することを特徴とする請求項１〜３記載の通信制御装置。
【請求項５】
前記可動開口部に前記箱体の外側面から不燃テープを貼ることを特徴とする請求項１〜４記載の通信制御装置。
【請求項６】
住宅内に設置した換気扇、給湯機器などの家庭用電気機器を中央制御する情報収集装置と前記情報収集装置と通信する通信機器と、
前記通信機器を搭載した箱体と、前記箱体は箱状の一面を開口し開口した側にフランジ部を備え、前記フランジ部で前記箱体を住宅の壁、天井などに設けた開口に固定する通信制御装置であって、
前記フランジ部の前面に備え前記通信機器を固定する通信機器固定板と、
前記通信機器固定板より突出して設け前記通信機器を固定する複数の嵌合リブと、
前記通信機器より出される通信線と、
前記通信機器固定板より突出して設け前記通信線を固定する通信線用リブを備え、
前記通信線用リブを前記嵌合リブの周囲に湾曲して配置したことを特徴とする通信制御装置。
【請求項７】
前記通信線用リブは、前記通信線を挟む２本のレール状で形成したレール状リブと、前記２本のレール状リブの内壁より突出して備えた複数の通信線固定リブで形成したことを特徴とする請求項５記載の通信制御装置。
【請求項８】
前記レール状リブの長さを前記通信機器の長手寸法の１．５〜２倍程度の長さとしたことを特徴とする請求項６記載の通信制御装置。
【発明の詳細な説明】
【技術分野】
【０００１】
この発明は、壁等に固定され、換気扇、空気調和装置、給湯機器等の家庭用電気機器とそれらを中央制御する情報収集装置とを通信接続するための通信制御装置の固定方法に関するものである。
【背景技術】
【０００２】
従来より、住宅の壁等へ開口を設け、設けた開口に挿入して換気扇、コントロールスイッチ、制御装置等を取付ける固定構造に関して、数多くの固定構造が提案されている。
【０００３】
例えば、特許文献１では、本体とカバーで構成した箱型のケーシングの寸法が、既製の規格化されたコンセントボックス等の配線器具のモジュール寸法に合うように形成した光ワイヤレス発信機の固定構造が提案されているいる。このケーシングを壁面に取り付ける際は、あらかじめ壁面に埋設されているコンセントボックスに取付枠を介して、着脱自在に装着することができる。このように、あらかじめ埋設された既製の配線器具を利用することにより、後施工でも壁への穴開け等の特別な工事を行うことなく、容易にワイヤレス発信機を設置することができる。
【０００４】
また、特許文献２では、先端部が自由状態で中央部が本体の外方にふくらむ略への字状のばね材からなる固定バネを使用した窓用換気扇の固定構造が提案されている。この固定構造は、まず、窓用換気扇本体を室内側から挿入していくと、固定バネの中央部が本体中心方向に押し曲げられて本体の移動に合わせ取付部の板材に設けられた弾性枠内部を通過する。次に、固定バネの中央部が室外側に達すると中央部が反本体側に拡がり、固定バネ先端部が弾性枠に当接する、こうして本体のフランジ部と固定バネの先端部との間で弾性枠を介在させて板材を挟持して板材の開口部に固定する。本体を開口へ挿入するだけで良いため、施工性が良い。また本体のフランジ部に雌ネジ穴と、この雌ネジ穴に挿入した固定ネジを備えている。雌ネジ孔から固定ネジが螺入すると、固定ネジの先端部が固定ばねの先端部に当接するとともに本体外方に押し広げられ、固定バネの付勢力が強まって本体の固定強度が向上し、より確実に支持することもできる。  
【０００５】
また、特許文献３では、軸方向に延材する溝部を上部に備えた円筒部とフランジ部とを備え、円筒部が板材の孔に挿入された状態で固定機構によって板材に固定される換気扇の固定構造が提案されている。この固定構造は、溝部に固定部品を設け、固定部品はネジ貫通部が形成された基部と、折り曲げられた先端部を形成し、基部をフランジ部側にし、折り曲げ部分を上にして溝部に配置している。また、フランジ部を貫通して溝部内に突き出てネジ貫通部を貫通する固定ネジのネジ締めに伴って溝部内をフランジ部へ接近移動するネジ部品とを有している。さらに固定部品は、基部の端部から幅方向に突出した凸部を形成し、この凸部を軸支持し、固定部品がフランジ部から遠ざかる方向及び上方向に移動することを規制する固定部品移動規制手段を溝部に備えている。こうしてネジ部品は、固定ネジのネジ締めによってフランジ部へ接近する際に、固定部品の基部が立ち上がるように固定部品を押圧し、固定ネジのネジ締めによってフランジ部と固定部品との間に板材を挟みこむことが出来る。このように、施工性が良好で、適度な締め付け具合で確実に丸穴に換気扇を固定するものも提案されている。
【先行技術文献】
【特許文献】
【０００６】
【特許文献１】特公平４−５２０３９号公報
【特許文献２】特開平８−３２７１０４号公報
【特許文献３】国際公開番号ＷＯ２０１２／０９０２８３号
【発明の概要】
【発明が解決しようとする課題】
【０００７】
特許文献１に記載された光ワイヤレス発信機の固定構造では、既製の配線器具を用いるため、壁、天井内へ設置する際に埋め込み可能な寸法が制限されるとういう課題がある。また、製品の体積が大きい場合には、壁や天井内に埋め込めない分、壁面や天井面からの飛び出し寸法が大きくなり、インテリア性が悪化するという課題がある。また、既設の配線器具はコンセントボックスの様に壁の下側への設置が一般的で操作を行う装置には操作性、メンテナンス性が悪いという課題があった。
【０００８】
また、特許文献２に記載された窓用換気扇の固定構造では、固定バネの構造が複雑で、さらに弾性枠の使用が必要なことや、特許文献３に記載された固定構造は固定部品と、ネジ締めによって移動するネジ部品が必要であり、部品点数が多くまた構造が複雑で生産性が悪いという課題があった。さらに特許文献２、３に記載された窓用換気扇は、窓のような薄い板厚には対応できるものの壁厚が大きく変わる住宅の壁、天井には対応できないという課題があった。
【０００９】
この発明は上記の課題に鑑みて発案されたものであり、既製の配線器具を使用することなく、製品寸法に制約の少ない固定構造を得るとともに、部品点数が少なく構造が簡素化した固定構造を得るものである。
【課題を解決するための手段】
【００１０】
住宅内に設置した換気扇、給湯機器などの家庭用電気機器を中央制御する情報収集装置と前記情報収集装置と通信する通信機器と、通信機器を搭載し、箱状の一面を開口し開口した側にフランジ部を備えた箱体と、この箱体を住宅の壁、天井などに設けた開口にフランジ部で固定する通信制御装置であり、この箱体の側面には箱体の開口した面と平行にスリットを形成し、このスリットに固定部品が箱体内部から外側に向けて貫通している。また、固定部品を可動可能に案内する可動開口部をスリットと連続して設け、箱体の開口した側の可動開口部の端部より突出してネジ固定面を備え、ネジ固定面に形成した貫通穴より挿入した固定ネジと、固定部品に備え固定ネジと螺合するネジ穴を設け、固定ネジのネジ締めに伴って固定部品が可動開口部をフランジ部側へ移動するようにしたものである。
【発明の効果】
【００１１】
本発明にかかる通信制御装置は、製品の箱体の側面に可動開口部を設け、箱体の内側から固定部品を挿入し、壁をフランジ部と固定部品で挟んで固定する構造を用いることにより、少ない部品点数で容易に製品を固定することができる。また、既製の配線器具を用いないため、製品寸法に制約が少ない。また、壁、天井内への埋め込み寸法を大きくとることができるため、製品体積が大きい場合にも壁、天井面から居室側への飛び出し寸法を低減することが出来る。また、可動開口部にフランジ部との距離が一般的な住宅の壁厚と同じになる位置にスリットが設けられているため、スリットを目印として可動開口部に固定部品を挿入することができ作業性が良い。可動開口部及び固定部品は、箱体の大きさ、重さに応じて複数個設置することも可能である。
【図面の簡単な説明】
【００１２】
【図１】本発明の実施の形態１に係る通信制御装置の使用例を示す模式図である。
【図２】本発明の実施の形態１に係る通信制御装置の外観を示す斜視図のであり、本体の正面下方より見た図である。
【図３】本発明の実施の形態１に係る通信制御装置の概略の構成を示す分解斜視図であり図２と同様に本体の正面下方より見た図である。
【図４】本発明の実施の形態１に係る箱体の斜視図であり、内部の部品を外した状態である。
【図５】図４の箱体を下方よりみた下面図である。
【図６】通信機器を支持し箱体に固定する通信機器固定板を示す斜視図である。
【図７】通信機器固定板を固定した箱体を室内側より一様に覆う化粧パネルを示す斜視図である。
【図８】本発明の実施の形態１に係る箱体を壁に固定する固定部品を示す斜視図である。
【図９】図８の固定部品に不燃シートを差し込んだ斜視図である。
【図１０】本発明の実施の形態１に係る箱体を固定する手順を示す概略の断面図である。
【図１１】箱体を壁に固定した状態であり、固定部品が可動する可動開口部に不燃テープを貼った場合を示す断面図である。
【図１２】本発明の通信制御装置を設置する状態を示す斜視図であり、壁の内部を模式的に透視し、通信機器固定板及び化粧パネルが外れた状態を示している。
【発明を実施するための形態】
【００１３】
以下に、本発明にかかる換気扇の実施の形態を図面に基づいて詳細に説明する。
【００１４】
実施の形態
図１は、本発明で示す通信制御装置の使用例を示す模式図である。図２は通信制御装置の斜視図である。図３は図２で示した通信制御装置の分解斜視図である。
この発明の通信制御装置１は、Ｈｏｍｅ Ｅｎｅｒｇｙ Ｍａｎａｇｅｍｅｎｔ Ｓｙｓｔｅｍ（以下ＨＥＭＳ）等の家庭用電気機器の制御システムにおいて、家庭用電気機器の対象となる制御機器５０と通信線５１にて接続し、家庭用電気機器を中央制御する情報収集装置５２とＷＩＦＩ等無線接続している。通信制御装置１は情報収集装置５２と相互に通信を行う通信機器５を内蔵し、家庭用電気機器のうち対象となる制御機器５０の運転、停止などの信号を通信するものである。通信制御装置１は制御機器５０の近くの室内の壁面に固定され、無線通信によって、情報収集装置５２と通信を行う。また、通信制御装置１と情報取集装置５２をＬＡＮなどの線で繋ぐことにより、有線となり通信が途絶える心配もなくなる。
【００１５】
通信制御装置
図２、図３を用い通信制御装置について説明する。
通信制御装置１は、箱体２と、箱体２を室内側から覆う化粧パネル３によって外殻を構成している。図３の分解斜視図に示すとおり、箱体２は一面を開口した箱状に形成しており、箱体２の内部には電源回路９を内蔵している。箱体２の開口部周囲４辺に、住宅の壁面などに接するフランジ部１０を形成し、住宅の室内側には、このフランジ部１０を露出し、箱体２は壁内に収まるものである。また、フランジ部１０の前面側には、通信機器固定板４を設け、情報収集装置５２と通信する通信機器５を固定している。なお、図３では箱体２を壁面に固定する固定部品６と、箱体２の壁面の可動開口部を覆うための不燃シート７と、不燃テープ８は取り外した状態を示しており、これら部品の詳細は後述で説明する。
【００１６】
箱体の説明
次に箱体２について、図３、図４を用いて説明する。図４は、図３で示した箱体２を９０度回転して示し、スリット１３a、１３ｂ、可動開口部１２を見やすく表している。
図４の箱体２は、前面が開口された箱状の板金であって、開口した端部の４辺にフランジ部１０が設けられ、側面１１には固定部品６を可動可能に支持する矩形状の可動開口部１２を設けている。可動開口部１２には固定部品６を挿入するスリット１３ａ、１３ｂを２箇所に設けている。この２箇所のスリット１３a、１３ｂは住宅の壁の厚さが薄い場合にはスリット１３ａより固定部品６を挿入する、一方壁厚さが厚い場合にはスリット１３ｂより固定部品６を挿入する。箱体２の開口側の可動開口部１２の端部には、固定部品６をネジ締めするためのネジ固定面１４を設ける。ネジ固定面１４は箱体２の内側に向けて側面１１より突出している、またネジ固定面１４には貫通穴１５を備えている。フランジ部１０の図４では上下２箇所の両側には通信機器固定板４を固定するためのネジ穴１７を有するネジ穴部１６が設けられている。
【００１７】
スリット１３と前フランジ部１０との距離は一般的な住宅の壁厚に近い距離間隔となっているため、スリット部１３から固定部品６を挿入すると固定部品６は箱体２を固定する位置と近い位置することができる。例えば、一般住宅でよく使う９、１２、１５ｍｍ壁の場合は１３ａを使い、１６ｍｍ以上の壁の場合には１３ｂを使うことにより、複数の壁厚さに対応することが可能となり、固定部品６の移動距離が短くでき施工性も良い。
【００１８】
可動開口部１２の外側に可動開口部１２を塞ぐために不燃テープ８を貼り付ける。この不燃テープ８は、箱体２への埃や砂塵等や湿気の侵入を防いでいる。また、電源回路９の電源部分のトラッキングなどで、万が一発煙、発火があった場合も箱体２の内部より外に出すことがないようにしている。固定部品６は不燃シート７を挿入し箱体２のスリット１３ａもしくは１３ｂに挿入する。不燃シート７は固定部品６の可動に合わせて可動できる。このようにすることで、固定部品６が可動した際は、不燃テープ８と不燃シート７により可動開口部１２の隙間を小さくできる。
【００１９】
通信機器固定板の説明
図６に示すように通信機器固定板４は平板状樹脂部品であって、ほぼ中央に略四角状の通信機器５を上面に固定するための嵌合リブ１８を、通信機器５のコーナー部を保持する形状で４箇所突出して設けている。また、嵌合リブ１８の周囲には、通信機器５の通信線３０を固定するための通信線用リブ１９を設けている。図６では通信線用リブ１９は通信機器５の上部に湾曲して備えている。通信線用リブ１９は図６に示すように２本のレール状リブ１９ａを通信機器固定板４より突出して形成し、レール状リブ１９ａ内壁面には、通信線３０を固定する通信線固定リブ１９ｂを複数備えている。嵌合リブ１８の内寸は、通信機器５の外寸とほぼ同じか若干大きく形成し、嵌まり込みで保持している。レール状リブ１９ａは、通信線３０を内部に這わせるように、対向して２本形成し箱体２の内部に導く通し穴２１まで形成している。
【００２０】
通信機器固定板４は、化粧パネル３を嵌合するための嵌合部２０を４箇所に備えており、また、箱体２にネジ固定するための貫通穴２２を４箇所設けている。貫通穴２２は箱体２のネジ穴部１６に相当する位置に４箇所設けている。通信機器５は、嵌合リブ１８によって嵌合され、通信機器固定板４の上面に固定される。通信線３０はレール状リブ１９ａによって位置決めすることができる。さらに通信線３０は外れることがないようにクリップ固定用の穴３１を設けコードクリップ（図示はしない）をここに用いて通信線３０を固定している。
【００２１】
通信線３０は直接通し穴２１に導くことなく、一旦、通信機器固定板４の嵌合リブ１８の周囲の空間で湾曲させて通し穴２１に導いている。このように、レール状リブ１９ａの全長は、通信機器５の長手寸法の１．５倍〜２倍程度の長さにし、余裕をとっている。このように通信線３０に余裕を持たせることで、通信機器５と嵌合リブ１８とを容易に着脱することができる。レール状リブ１９ａの内側には複数の通信線固定リブ１９ｂを備えることで通信線３０をより強く押えることができる。また、外す時も容易である様に複数の通信線固定リブ１９ｂを設けている。またレール状リブ１９ａの高さを通信線３０の線径の２倍以上となるように設けており、通常樹脂成型部品による成型後、金型から抜きやすくする抜き勾配が付いていることで、奥に指で押さえ込むことにより、強く固定ができる。さらには、通信線３０の挟みこみによる断線の危険性や、通信線３０が箱体内でループ状となり、電源回路９からのノイズによって通信機器５の誤動作が発生する可能性を低減することができる。また、通信線３０の線径のばらつきにも対応が出来る。通信機器固定板４を難燃グレードの樹脂とすることでＷｉＦｉの通信の悪影響を受け難くするとともに、電源回路９などより万が一発煙、発火したとしても箱体２の外部に出さない構造となっている。
【００２２】
化粧パネルの説明
化粧パネル３は図７に示すように箱体２の前面に備えた通信機器固定板４を覆うように形成した薄い箱状をなしている。図６に示すように、箱体２の開口に固定する通信機器固定板４の上辺と下辺には、化粧パネル３と係合する嵌合部２０が上下にそれぞれ２箇所づつ設けている。化粧パネル３の内側には、嵌合部２０と相対する位置に爪状の嵌合リブ２３を上下にそれぞれ２箇所づつ配置している。このようにして通信機器固定板４の嵌合部２０に化粧パネル３の持つ弾性を利用して嵌合される。
【００２３】
嵌合部２０は通信機器固定板４よりも一段高く形成し、箱体２と嵌合部２０との隙間に嵌合リブ２３の爪が引っ掛かることで、着脱自在に固定できる。また、嵌合部２０の周囲にリブを突出して備えることで、嵌合部２０の強度を向上させるとともに、壁面の多少のひずみがあっても化粧パネル３を保持できるようにしている。通信機器５は化粧パネル３に覆われるが、化粧パネル３は樹脂製であるため、通信機器５は無線通信に悪影響を受け難くしている。
【００２４】
固定部品の説明
図８に示すように、固定部品６は、Ｔ字状で形成しており、水平形状の下辺左右両側に爪部２４をそれぞれ設けている。また、固定部品６は、Ｔ字状の垂直形状の面２６と水平形状の面２５を有し、面２５は壁をはさみこむ面となっている。一方面２６はネジ穴２７を有し、図４に示した箱体２のネジ固定面１４の貫通穴１５と相対する位置となっている。固定部品６は箱体２のスリット１３aもしくは１３bの位置で箱体２の内側から外側に向けて貫通して取り付ける。固定部品６が箱体２に取り付けられた状態では、爪部２４は箱体２の開口部側に向くように折り曲げられた爪形状であり、箱体２の内側面に沿うように配置している。
【００２５】
爪部２４を箱体２の内側面に沿うように配置したことで、ネジ締めを行った際に固定部品６が回転し、締付力が逃げてしまうことを防いでいる。さらに、固定部品６の可動時は、爪部２４が箱体２の内側面に沿って可動するため、固定部品６の傾き等を抑え固定部品６の可動性を向上している。爪部２４は説明では図８では２箇所で説明したが、複数あっても良い。
【００２６】
箱体２の可動開口部１２を覆う不燃シート７にはスリット７ａが設けており、このスリット７ａに面２５を挿入することによって、不燃シート７は固定部品６に固定することができる。不燃シート７は平板状の不燃材にスリット７ａのみを設けた形状であるため、簡単な形状で工作性がよい。また固定部品６の面２６と面２５との間は左右に凹部６ａを形成している。この左右に設けた凹部６ａの幅は可動開口部１２の幅より若干小さくし、凹部６ａが可動開口部１２を可動する。このようにすることで固定部品６が可動する場合は、可動開口部１２より固定部品６が外れることはない。また凹部６ａによって、不燃シート７をはさみやすくするとともに不燃シート７が固定部品６から抜け難くなっている。
【００２７】
固定方法の説明 
次に、箱体２の壁面への固定方法を図１０の断面図を用いて順に説明する。
図１０は箱体２の可動開口部１２並びに固定部品６の部分を拡大して示しており、図の上方が室内側、下方が壁もしくは天井内を表している。
【００２８】
まず、図１０のＡは箱体２を壁の開口部に挿入した状態のフランジ部１０と、可動開口部１２を拡大した概略の断面図である。図１０Ａに示すように、箱体２を壁の開口部に挿入すると、壁２８にフランジ部１０が接する。可動開口部１２のスリット１３ａもしくは１３ｂより、固定部品６を箱体２の内側から外側に向けて挿入する。固定部品７はあらかじめ不燃シート７を挿入しておくことで、不燃シート７は箱体２の内側面に当接し可動開口部１２を覆うようになる。
【００２９】
次に、図１０Ｂに示すように、ネジ固定面１４に設けた貫通穴１５にネジ２９を挿入し、ネジ２９の先端を固定部品６のネジ穴２７に挿入しネジ締めを行う。ネジ締めを行うことによって、固定部品６と不燃シート７が同時に可動開口部１２を引き上げられ、フラン部１０側に移動する。このようにして図１０Ｃに示すように固定部品６の面２５とフランジ部１０とで壁を挟み込み、箱体２を固定することができる。この時、爪部２４が設けられていることにより、ネジ締めによって、固定部品６が回転して力が逃げ、締付力が低下してしまうことを防いでいる。
【００３０】
不燃シートの設置例
さらに、図１１では、箱体２の側面１１に不燃テープ８を貼付し、不燃シート７を固定部品６に挿入した状態を示している。不燃テープ８は箱体２の外側面に貼付し、不燃シート７は固定部品６とともに箱体２の内側面に配置される。固定部品６は不燃テープ８を突き破って可動開口部１２より挿入するが、突き破った箇所以外は不燃テープ８によって塞ぐことが出来る。固定部品６によって破られた箇所も、内側面から不燃シート７によって覆われるため、箱体２の底面に設置された電源回路９は不燃材料によって完全に覆われている。このようにすることで電源回路９部分に塵埃や湿気が侵入するのを防いでいる、また電源回路９より万が一発煙、発火した場合でも、箱体２よりも外に出すことがなく、延焼することがない。また、不燃シート７と固定部品６が同時に移動することにより、固定部品６によって破られた不燃テープ８の穴を確実に塞ぐことが出来る。また、固定部品６と箱体２の内側面に挟んでおけば不燃シート７が紛失することも無くなる。
【００３１】
施工手順と通信機器の設置状態
次に図１２を用いて施工手順と、通信機器５の設置状態を説明する。施工手順は、まず、壁面や天井面に開口を設け、設けた開口に箱体２を挿入する。上記に示したように固定部品６を用いて箱体２を壁に固定し、電源回路９の電源線や、制御機器５０との通信線５１など（図示せず）を接続する。電源線と通信線５１の接続は箱体２を壁に固定した後でも、前でもどちらでも良い。次に通信機器固定板４の通し穴２１より、通信線３０を挿入し、電源回路９に接続し、通信機器固定板４を箱体２のネジ穴部１６にネジ固定する。次に通信機器５を通信機器固定板４の嵌合リブ１８によって嵌合し、通信線３０をレール状にリブ１９ａに這わせるようにして複数の通信線固定リブ１９ｂで挟み込んで係合し、通信線３０の余り分は通し穴２１より箱体２に押し込む。次に、通信線３０はクリップによって、通信機器固定板４のクリップ固定穴３１に固定する。最後に化粧パネル３を通信機器固定板４に固定する。この時、通信線３０は通信機器固定板４に一定の位置で固定されるため、這い回し状態による通信への影響が少なく、また化粧パネル３で挟まれることがない。
【００３２】
通信機器の銘板の確認、メンテナンス性
レール状リブ１９ａの全長は、通信機器５の長手寸法の１．５倍程度の長さとなっているため、通信機器５を通信機器固定板４から持ち上げて取り外し、通信機器５の裏面の状態を容易に確認することが出来る。例えば、裏面に通信の状態を示すＬＥＤなどがある場合は、その状態をユーザーや施工業者が容易に確認することが出来る。また、レール状リブ１９ａによって、通信線３０の位置が決まるため、通信線３０が常に同じ場所に固定出来るため、通信線３０にループ出来てノイズなどの影響を受け難く、通信の低下を防止できる。また、通信線３０の一部をクリップにて通信機器固定板４に固定することにより、引っ張りなどの力が直接基板に掛かることがなく、抜け止めにより抜け防止しているため、基板の破損や、通信線３０が外れて通信が出来なくなるなどの恐れがない。
【００３３】
以上の説明した構造により、通信制御装置は既製の配線器具を用いることなく、少ない部品点数で容易に壁面に取付を行うことが出来る。
【００３４】
この発明の通信制御装置は、ＨＥＭＳにおいて制御対象機器と情報収集装置とを無線通信するための通信制御装置の固定構造として用いることができる。また、送風機、空気調和装置、熱源機、照明等のコントロールスイッチの固定構造としても適用可能である。また、コントロールスイッチに限らず、壁固定を行う各種機器の固定構造としても利用可能である。
【符号の説明】
【００３５】
１  通信制御装置
２  箱体
３  化粧パネル
４  通信機器固定板
５  通信機器
６  固定部品
７  不燃シート
８  不燃テープ
９  電源回路
１０  フランジ部
１１  側面
１２  可動開口部
１３  スリット
１４  ネジ固定面
１５  貫通穴
１６  ネジ穴部
１７  ネジ穴
１８  嵌合リブ
１９  通信線用リブ
１９ａ  レール状リブ
１９ｂ  通信線固定リブ
２０  嵌合部
２１  通し穴
２２  貫通穴
２４  爪部
２５  面
２６  面
２７  ネジ穴
２８  壁
２９  ネジ
３０  通信線
３１  クリップ固定用穴
【図１】
2015204727.tif 000003
【図２】
2015204727.tif 000004
【図３】
2015204727.tif 000005
【図４】
2015204727.tif 000006
【図５】
2015204727.tif 000007
【図６】
2015204727.tif 000008
【図７】
2015204727.tif 000009
【図８】
2015204727.tif 000010
【図９】
2015204727.tif 000011
【図１０】
2015204727.tif 000012
【図１１】
2015204727.tif 000013
【図１２】
2015204727.tif 000014